(57)【要約】      （修正有）【課題】生活様式の洋風化に伴って、モップによる清掃が主流となったが、清掃する場所や清掃する人の背の高さ、腕力の違いなどにより、誰でもが簡単に使う事が難しかった。そこで、どんな場所でも、誰でもが取扱いが出来る清掃道具を提供する。【解決手段】清掃基台１０に雑巾がはずれにくく、ずれない手段の抵抗帯１１，１２，１３と雑巾係合部１８を設け、柄が着脱可能な手段を持つ簡易な構造で、清掃が楽に出来る清掃道具を提供する。【選択図】図１
2016077832.tif 000002
【特許請求の範囲】
【請求項１】
清掃基台に、雑巾を保持するためのバネ圧手段を用いていた清掃用モップにおいて、バネ圧手段を用いず、雑巾を保持する抵抗帯手段を備えたことを特徴とする清掃道具
【請求項２】
請求項１記載の清掃基台の上面と下面に凹部又は、上面と下面を貫通する穴を設け、雑巾の一端を入れることが出来る清掃道具
【請求項３】
請求項１記載の清掃基台において、抵抗帯の一部を利用して、雑巾を固定する事を目的とした、雑巾係合部からなる清掃道具
【請求項４】
請求項１記載の清掃基台と袋状雑巾と組合せて使う事を特徴とする清掃道具
【発明の詳細な説明】
【技術分野】
【０００１】本発明は、清掃道具に関するものである。
【背景技術】
【０００２】従来の雑巾を取り付けて、立ったまま掃除できる柄付清掃道具（モップ）は、雑巾を固定する手段として、清掃基台の前後に構成された、ばね圧ではさむもの、また、柄の先端に雑巾を挿入して、ばね圧で雑巾を固定するものがある。
【発明が解決しようとする課題】
【０００３】しかしながら、この技術では、雑巾を着脱するのに握力を必要とし、着脱がしにくい問題があった。
【０００４】また、雑巾の裏表２面を使う場合は、ばねで挟まれた雑巾を取外し、雑巾の裏表をひっくり返す手間を必要としていた。
【０００５】また、柄を取り付けて使うもので、柄が邪魔になり、狭い棚の清掃には不向きな問題があった。
【０００６】そこで本発明は、バネ圧の手段を用いず雑巾を固定し、雑巾が容易に着脱でき、清掃基台に柄を取り付けて立った姿勢でも、柄を取り外して屈んだ姿勢でも、使える清掃道具を提供する事を目的とする。
【課題を解決するための手段】
【０００７】本発明は、清掃基台の上面と下面に抵抗帯を設け、抵抗帯の一部分に雑巾を係合する手段が設けてある。清掃基台に荷重をかけると、雑巾は、抵抗帯と清掃面との間に挟まれ固定される。更に、雑巾を係合する手段を設ける事により、雑巾が固定され、雑巾がはずれたり、ずれたりすることなく、安定的に清掃することが出来る。
【０００８】清掃基台に袋状雑巾をかぶせ、袋状雑巾の裏表の２面が使えるように、半回転できる柄係合部を設けている。
【０００９】清掃基台に抵抗帯で構成した雑巾係合空間を設け、特にタオル状の一枚雑巾の場合に、雑巾係合空間に雑巾を挿入する事により、雑巾のずれを防止でき、清掃運動が安定する。
【００１０】幅の狭い棚等の清掃は、柄が邪魔になる為、簡単に取外しが出来る構造にしてある。柄を取外した、清掃基台に雑巾を装着して清掃が出来るように、雑巾の上から手のひらを当てると指先が抵抗帯の凹部に入り、手の大きさに左右されることなく、雑巾に加える力も少ない状態で、容易に清掃が可能である。
【００１１】抵抗帯と抵抗帯との間に形成された抵抗帯の凹部の大きさは、大人の指先が入る程度の間隔１５ｍｍ程度以上である事が好ましい。
【００１２】雑巾係合空間は、折り曲げ手段（１８ａ、１８ｂ、１８ｃ等を言う）を持つ雑巾係合部からなり、折り曲げ手段が広がった状態での大きさが幅５ｃｍ、縦幅３ｃｍ、深さ３ｃｍ程度以上が好ましい。
【００１３】上面の抵抗帯と下面の抵抗帯は、上面と下面が対称である事が好ましい。
【００１４】清掃基台にゴミが付着しない様に、また、清掃基台を洗う場合に汚れが簡単に落とせるように、清掃基台は、上面と下面が貫通されていることが好ましいが、清掃基台が大きい場合は、清掃基台上面と下面の間が仕切られても良い
【００１５】抵抗帯は、雑巾との接触面の幅は３ｍｍ以下が好ましい
【００１６】抵抗帯の形状は、清掃運動にたいして雑巾がずれたりしない形状、例えば、縦横直角になるように構成する事が好ましい。
【００１７】柄の長さは伸縮自在が好ましい。
【００１８】柄の係合部は、差し込み式係合が好ましい
【００１９】雑巾の厚みは、３ｍｍ以上が好ましい
【００２０】柄係合部の長さ方向の寸法は、清掃基台からはみ出ない長さが好ましい
【発明の効果】
【００２１】清掃基台に抵抗帯を設けることにより、ばね圧等の固定手段がなくても、清掃時の前後左右の往復運動に対して、雑巾がはずれにくく、ずれにくい効果がある。
【００２２】ばね圧等による固定手段を必要としないために、構成部材が少なく、生産コストを抑えることができる。また、雑巾の装着性が良く、誰でもが容易に使う事が出来る。
【００２３】柄が半回転する手段を設けることにより、袋状雑巾と組合せて使う場合は、雑巾の取外しなしで、雑巾の裏表２面が使える。
【００２４】清掃基台から、柄をはずす事により、幅の狭い棚や、屈んで清掃する箇所等の作業がしやすくなる。
【実施例】以下、この発明の実施例を図面に基づいて説明する。【００２５】図１は、この発明に係る清掃基台１０の平面図で、外枠の抵抗帯１１、横方向の抵抗帯１２、縦方向の抵抗帯１３と清掃基台軸１４、雑巾が固定できる雑巾係合部１８、柄係合部１５で構成されている。【００２６】抵抗帯１１は雑巾の周囲部分を押さえ、雑巾のたるみを防止する作用があり、抵抗帯１２は、雑巾が前後方向に動かないように作用し、抵抗帯１３は雑巾が左右方向に動かないように作用する。清掃基台軸１４は、清掃基台全面に荷重が加わるように、強度を持たせた軸にする事が必要である。【００２７】雑巾係合空間１９は、上面と下面が貫通されており、雑巾の一部を入れることが出来、雑巾係合部１８で雑巾が挟まれ、固定されるようになっている。【００２８】図２は、清掃基台図１の正面図である。柄係合部１５は、柄取付け軸１６により固定され、半回転できる構造である。【００２９】図３は、清掃基台専用の柄２０である。柄２０は伸縮が出来るもので、清掃基台の柄係合部１５と連結される。連結は、係合部凸２２と係合部凹１７が嵌合される。係合部２３は合成樹脂製で、例えば、ねじ式や差し込み式等がある。実施例は差し込み式で、係合部凸２２と係合部凹１７を嵌合し、双方を連結する。柄係合部１５は、柄取付け軸１６が貫通され、半回転できる構造のため、清掃基台１０を上面と下面を反転させて使う事が出来る。【００３０】清掃基台２０はＡＢＳ樹脂等で成形されたもので、柄２０は、例えば、アルミニウム合金製で、握持部２１と係合部２３で構成されている。【００３１】図４は、袋状雑巾３０と清掃基台１０を組合せて使う場合の簡易図である。雑巾の袋の中に、清掃基台１０を装着する事により、清掃時の前後左右の動きに対して、雑巾がずれることがなく、スムースな清掃が出来る。更に、清掃基台を上面と下面を反転する事により、雑巾の裏表２面を使う事が出来る。【００３２】図５は、タオル状雑巾４０を使った時の簡易図で、図６にその側面図を示す。図６で装着方法を説明すると、タオルを床に敷き、タオルが清掃基台１０にほぼ均等にまかれるように清掃基台１０を乗せる。清掃基台上面のタオルの先端を、雑巾係合空間１９に入れると、タオルは、雑巾係合部１８に挟まれて、雑巾のずれが防止できる。【００３３】抵抗帯の効果実験結果
【表１】
2016077832.tif 000003
【表２】
2016077832.tif 000004
清掃基台の重量（ｇ）・・１２０
清掃基台の大きさ（ｍｍ）・・横１９０  幅１７０
雑巾の大きさ（ｍｍ）・・乾燥雑巾３００＊３００  濡れ雑巾２８０（ｗ）＊２５０（ｄ）
濡れ雑巾の重さ（ｇ）・・３００（乾燥時１００）
床材質・・ポリ塩化ビニル
清掃基台・・ポリエチレン
◆測定方法：フローリングの床に雑巾を敷き、その上に清掃基台をのせ、清掃基台の中心に重量物を乗せ、柄の先端にバネ秤を取付け、この時の雑巾の動く引張力と清掃基台が滑る引張力を、抵抗帯ありなしで測定する。
実験システムは、図７参照のこと。【００３４】表１の説明
乾燥雑巾の場合は、抵抗帯がある事により１００ｇの荷重を清掃基台に加えると、乾燥雑巾を動かすことが出来る。従って、清掃が可能である。しかし、抵抗帯のない平らな面で構成される清掃基台では、６ｋｇの荷重を清掃基台に与えても雑巾から清掃基台が滑ってしまい清掃は出来ない。【００３５】表２の説明
濡れ雑巾の場合は、抵抗帯がないと全く雑巾を動かすことが出来ないが、抵抗帯があれば、２．５ｋｇ以上の荷重を清掃基台に加えることにより、雑巾を動かすことが出来るため清掃が可能である。
【図面の簡単な説明】
【００３３】
【図１】この発明に係る清掃基台の平面図
【図２】図１の正面図
【図３】柄と柄の係合部の簡易図
【図４】袋状雑巾を使う場合の簡易図
【図５】タオル状雑巾を使う場合の簡易図
【図６】タオル状雑巾を使う場合の簡易側面図
【図７】抵抗帯効果実験図
【図８】抵抗帯効果実験に用いた清掃基台図
【符号の説明】
【００３４】１０    清掃基台
１１    抵抗帯枠
１２    横抵抗帯
１３    縦抵抗帯
１４    清掃基台軸
１５    柄係合部
１６    柄取付け軸
１７    係合部凹
１８    雑巾係合部
１８ａ  折り曲げ手段１
１８ｂ  折り曲げ手段２
１８ｃ  折り曲げ手段３
１９    雑巾係合空間
２０    柄
２１    柄握持
２２    係合部凸
２３    係合部
３０    袋状雑巾
４０    タオル状雑巾
【図１】
2016077832.tif 000005
【図２】
2016077832.tif 000006
【図３】
2016077832.tif 000007
【図４】
2016077832.tif 000008
【図５】
2016077832.tif 000009
【図６】
2016077832.tif 000010
【図７】
2016077832.tif 000011
【図８】
2016077832.tif 000012